(57)【特許請求の範囲】
【請求項１】
中空円筒状をした管体からなり、遊戯者が前記中空部に入り込むことができるように構成された回転管体と、
前記回転管体をその中心軸回りに自転自在に支持する支持手段とを備え、
前記支持手段は、
上面が断面Ｕ字形状若しくはＶ字形状をした二つの傾斜面を有する凹部が形成されるとともに、液体を吐出する吐出口を前記各傾斜面にそれぞれ備えて、前記凹部内に前記回転管体を収容する容器体と、
前記容器体の吐出口に加圧した液体を供給する液体供給機構とから構成され、
更に前記凹部内に一定量の液体が貯溜されるように構成され、
前記回転管体は、前記凹部内に貯留された液体によって浮力を受けるように構成されてなることを特徴とする遊戯装置。
【請求項２】
中空円筒状をした管体からなり、遊戯者が前記中空部に入り込むことができるように構成された回転管体と、
前記回転管体をその中心軸回りに自転自在に支持する支持手段とを備え、
前記支持手段は、
上面が断面Ｕ字形状若しくはＶ字形状をした二つの傾斜面を有する凹部が形成されるとともに、液体を吐出する吐出口を前記各傾斜面にそれぞれ備えて、前記凹部内に前記回転管体を収容する内部容器体と、
前記内部容器体を収容する外部容器体と、
前記外部容器体内に貯留された液体を加圧して前記内部容器体の吐出口から吐出させる液体供給機構とから構成されてなることを特徴とする遊戯装置。
【請求項３】
中空円筒状をした管体からなり、遊戯者が前記中空部に入り込むことができるように構成された回転管体と、
前記回転管体をその中心軸回りに自転自在に支持する支持手段とを備え、
前記支持手段は、
上部が開口した筐体状の容器体を備え、該容器体内には液体が貯留され、
前記回転管体は、前記容器体内に収容されて、浮力によって浮くように構成されてなることを特徴とする遊戯装置。
【請求項４】
前記回転管体は、可撓性を有する軟質のシート状部材から構成され、外筒とその内部に配置された内筒との二重管構造を有し、前記外筒と内筒とはその両端部同士が連結されて、外筒内周面と内筒外周面との間に密閉空間が形成されるとともに、該密閉空間内に気体
が充填されてなることを特徴とする請求項１から３いずれか一項に記載の遊戯装置。
【請求項５】
前記回転管体は、中空円筒状をした硬質の部材から構成される外殻管体と、その内部に配設された同じく中空円筒状をした内部管体とからなり、
前記内部管体は、可撓性を有する軟質のシート状部材から構成され、外筒とその内部に配置された内筒との二重管構造を有し、前記外筒と内筒とはその両端部同士が連結されて、外筒内周面と内筒外周面との間に密閉空間が形成されるとともに、該密閉空間内に気体
が充填されてなり、前記外筒外周面が前記外殻管体の内周面に圧接するように前記外殻管体内に配設されてなることを特徴とする請求項１から３いずれか一項に記載の遊戯装置。
【請求項６】
前記支持手段は、
前記回転管体の中心軸と平行に、且つ該回転管体の外周面に下方から当接するようにその周方向に配設された複数の回転ローラと、
前記各回転ローラをその中心軸回りに回転自在に支持する支持機構とから構成されてなることを特徴とする請求項１から５いずれか一項に記載の遊戯装置。
【請求項７】
前記支持手段は、
上面が断面Ｕ字形状若しくはＶ字形状をした二つの傾斜面を有する凹部が形成されるとともに、気体を吐出する吐出口を前記各傾斜面にそれぞれ備えて、前記凹部内に前記回転管体を収容する容器体と、
前記容器体の吐出口に加圧した気体を供給する気体供給機構とから構成されてなることを特徴とする請求項１から５いずれか一項に記載の遊戯装置。
【請求項８】
前記支持手段は、
上面が断面Ｕ 字形状若しくはＶ字形状をした二つの傾斜面を有する凹部が形成されるとともに、液体を吐出する吐出口を前記各傾斜面にそれぞれ備えて、前記凹部内に前記回転管体を収容する内部容器体と、
前記内部容器体を収容する外部容器体と、
前記外部容器体内に貯留された液体を加圧して前記内部容器体の吐出口から吐出させる液体供給機構とから構成されてなることを特徴とする請求項１から５いずれか一項に記載の遊戯装置。
【請求項９】
前記吐出口は、収容される前記回転管体の中心軸に沿って、複数設けられてなることを特徴とする請求項７または８に記載の遊戯装置。
【請求項１０】
前記吐出口は、収容される前記回転管体の中心軸に沿って形成された、少なくとも一条のスリット状の開口部として形成されていることを特徴とする請求項７または８に記載の遊戯装置。
【発明の詳細な説明】
【技術分野】
【０００１】
本発明は、遊園地やデパート，スーパーマーケットなどの遊戯コーナーに設置可能な遊戯装置に関する。
【背景技術】
【０００２】
出願人は、上述の遊園地やデパート，スーパーマーケットなどの遊戯コーナーに設置可能な遊戯装置として、既に、特開平２００４−２７５３４５号公報，特開平２００４−２７５４９２号公報，特開平２００５−１３１２０７号公報に開示されるような遊戯装置を提案している。
【０００３】
これらの遊戯装置は、いずれも、製造コストが安価で、設置スペースが小さく、しかも幼児が気軽に利用することができるという利点を有する。
【０００４】
【特許文献１】特開平２００４−２７５３４５号公報
【特許文献２】特開平２００４−２７５４９２号公報
【特許文献３】特開平２００５−１３１２０７号公報
【発明の開示】
【発明が解決しようとする課題】
【０００５】
上述したように、出願人は、既に、幼児層に向けた種々の遊戯装置を提案している。しかしながら、それでも尚、自我形成の初期段階にあり、あらゆる事象に興味を示す幼児層に対して、従来、十分な種類の遊戯装置が提供されているとは言い難い状況にある。
【０００６】
本発明は、このような実情に鑑み、幼児向けに提供される遊戯装置の多様化を図るべくなされたものであって、製造コストが安価で、設置スペースが小さく、しかも幼児が気軽に利用することができる遊戯装置の提供をその目的とする。
【課題を解決するための手段】
【０００７】
上記課題を解決するための本発明は、中空円筒状をした管体からなり、遊戯者が前記中空部に入り込むことができるように構成された回転管体と、前記回転管体をその中心軸回りに自転自在に支持する支持手段とから構成した遊戯装置に係る。
【０００８】
この遊戯装置によれば、回転管体がその中心軸回りに自転自在に支持されているので、回転管体の中空部内に遊戯者が入り込むことで、回転管体の中心軸に対する遊戯者の重心位置が、鉛直方向からずれている場合には、当該遊戯者の体重によって回転管体にモーメントが作用し、このモーメントによって回転管体がその軸中心に自転する。
【０００９】
したがって、遊戯者は、体重を移動させることで、回転管体とともに回転したり、或は、回転管体の中空部内でその周方向に前進することにより、回転する回転管体の中を、自身定位置に留まりながら前進するといった遊戯を楽しむことができる。
【００１０】
前記回転管体は、可撓性を有する軟質のシート状部材から構成され、外筒とその内部に配置された内筒との二重管構造を有し、前記外筒と内筒とはその両端部同士が連結されて、外筒内周面と内筒外周面との間に密閉空間が形成されるとともに、該密閉空間内に気体が充填された構成とすることができる。
【００１１】
このように構成された回転管体は、密閉空間内に充填された気体の圧力によって弾性を有するものとなる。したがって、中空内部に入り込んだ遊戯者は、ふわふわとした浮遊感を味わうことができる。また、遊戯者が回転管体とともに回転しても怪我をするおそれがないという利点がある。
【００１２】
また、前記回転管体は、上記軟質のシート状部材から構成される管体を内部管体とし、更に、この内部管体の外側に硬質の部材から構成される外殻管体を設けたものとしても良い。この場合、外殻管体と内部管体とが一体的なものとなるように、内部管体は、その外筒外周面が外殻管体の内周面に対して圧接するように当該外殻管体の中空部内に配設される。
【００１３】
このようにすれば、硬質の外殻管体を支持することができるので、摩擦の大きな弾性体を支持する場合に比べて、自転自在に支持し易いという利点がある。
【００１４】
前記支持手段は、前記回転管体を自転自在に支持することができれば、どのような構成であってもよいが、例えば、これを、前記回転管体の中心軸と平行に、且つ該回転管体の外周面に下方から当接するようにその周方向に配設された複数の回転ローラと、前記各回転ローラをその中心軸回りに回転自在に支持する支持機構とから構成することができる。
【００１５】
或は、前記支持手段は、これを、上面が断面Ｕ字形状若しくはＶ字形状をした二つの傾斜面を有する凹形状に形成されるとともに、気体若しくは液体を吐出する吐出口を前記各傾斜面にそれぞれ備えて、前記凹部内に前記回転管体を収容する容器体と、前記容器体の吐出口に加圧した気体若しくは液体を供給する供給機構とから構成することができる。
【００１６】
上記構成の支持手段によれば、断面Ｕ字形状若しくはＶ字形状をした二つの傾斜面を有する凹部内に回転管体が収容され、当該回転管体の外周面が凹部内面に当接する。そして、前記各傾斜面に形成された吐出口から、回転管体の外周面に向けて加圧された気体若しくは液体が吐出される。
【００１７】
回転管体に向けて吐出された気体は、その圧力にもよるが、当該回転管体を浮き上がらせる作用をなす。したがって、吐出される気体の圧力を、回転管体を浮き上がらせる程度のものにすることで、回転管体と凹部内面との接触が断たれ、当該回転管体が自転自在となる。
【００１８】
また、前記吐出口から液体を吐出する場合にも、その圧力によっては、吐出された液体が回転管体を浮き上がらせる作用をなす。したがって、この場合にも、吐出される液体の圧力を、回転管体を浮き上がらせる程度のものにすることで、回転管体と凹部内面との接触が断たれ、当該回転管体が自転自在となる。
【００１９】
尚、吐出口から液体を吐出させる場合に、当該液体の圧力は、必ずしも、回転管体を浮き上がらせる程の高い圧力である必要は無く、回転管体と凹部内面とが接触する部分に液体を供給することができれば足りる。このように回転管体と凹部内面との接触部分に液体を供給することで、当該液体の潤滑作用によって、回転管体と凹部内面との間の摩擦を軽減することができ、当該回転管体を自転自在に支持することができる。
【００２０】
更に、前記支持手段は、上面が断面Ｕ字形状若しくはＶ字形状をした二つの傾斜面を有する凹形状に形成されるとともに、液体を吐出する吐出口を前記各傾斜面にそれぞれ備えて、前記凹部内に前記回転管体を収容する内部容器体と、前記内部容器体を収容する外部容器体と、前記外部容器体内に貯留された液体を加圧して前記内部容器体の吐出口から吐出させる液体供給機構とから構成しても良い。
【００２１】
このようにしても、吐出される液体によって回転管体を浮き上がらせたり、或は、回転管体と凹部内面との接触部分に液体を供給することにより、当該回転管体を自転自在に支持することができる。
【００２２】
前記容器体（前記内部容器体を含む）は、その凹部内に一定量の液体が貯溜されるように構成され、回転管体が凹部内に貯留された液体によって浮力を受けるように構成されていても良い。
【００２３】
このようにすれば、回転管体が凹部内に貯留された液体から浮力を受けるので、この浮力の分だけ、当該回転管体と凹部内面との間の摩擦がより軽減される。
【００２４】
尚、この場合において、前記容器体の凹部内に貯留させた液体上に、回転管体が完全に浮くようにしても良い。このようにしても回転管体は自転自在となる。但し、この場合、前記吐出口及び液体供給機構は不要である。
【００２５】
また、前記吐出口は、収容される前記回転管体の中心軸に沿って、これが複数設けられた態様や、同じく収容される前記回転管体の中心軸に沿って形成された、少なくとも一条のスリット状の開口部として形成された態様とすることができる。
【００２６】
このようにすれば、回転管体の中心軸方向における前記凹部内面との接触部に対して、一様に液体を供給することができ、回転管体と凹部内面との間の摩擦をより軽減することができる。
【発明の効果】
【００２７】
以上説明したように、本発明に係る遊戯装置によれば、回転管体がその中心軸回りに自転自在に支持されているので、遊戯者は、回転管体の中空部内に入り込み、その体重を移動させることで、回転管体とともに回転したり、或は、回転管体の中空部内でその周方向に前進することにより、回転する回転管体の中を、自身定位置に留まりながら前進するといった遊戯を楽しむことができる。また、上記構成の遊戯装置は、その製造コストが安価で、設置スペースが小さくて足り、しかも幼児が気軽に利用することができるという利点がある。
【発明を実施するための最良の形態】
【００２８】
以下、本発明の具体的な実施形態に係る遊戯装置を、図面に基づいて説明する。図１は、本実施形態に係る遊戯装置を示した斜視図であり、図２は、図１における矢視Ｉ−Ｉ方向の断面図であり、図３は、本実施形態に係る内部容器体を示した斜視図である。
【００２９】
図１及び図２に示すように、本例の遊戯装置１は、中空円筒状をした管体からなり、遊戯者が前記中空部に入り込むことができるように構成された回転管体１０と、この回転管体１０をその中心軸回りに自転自在に支持する支持装置２０とを備えて構成される。
【００３０】
前記回転管体１０は、可撓性を有する軟質のシート状部材から構成され、外筒１１とその内部に配置された内筒１２との二重管構造を有し、外筒１１と内筒１２とはその両端部同士が連結されて、外筒１１内周面と内筒１２外周面との間に密閉空間１３が形成されるとともに、この密閉空間１３内に気体が充填された構成を有する。このように、軟質のシート状部材から構成され、密閉空間１３内に気体が充填された回転管体１０は、所謂エアマットと同様の弾性を有する。
【００３１】
前記支持装置２０は、正面視Ｕ字形をなし、上部に開口部３２を有する筐体状をした外部容器体３０と、この開口部３２から外部容器体３０内に挿入配置された内部容器体２１と、外部容器体３０内に貯留された水Ｌを加圧して内部容器体２１に供給する水供給機構３５とから構成される。
【００３２】
図２及び図３に示すように、前記内部容器体２１は、中空の筐体状をした部材からなり、その上面２２は、断面がＵ字形状をした二つの傾斜面を有する凹形状に形成されており、この凹部２１ａ内に前記回転管体１０が収容される。尚、この凹部２１ａ内に収容された回転管体１０は、外部容器体３０の開口部３２内にこれと若干の隙間をもって収まるようになっている。
【００３３】
また、内部容器体２１は、その中空部内において、前記凹部２１ａ内に収容される回転管体１０の軸方向に沿って、二つの仕切板２３が適宜間隔で立設されており、この二つの仕切板２３によって三つの部屋が形成され、中央部分が還流室２８、その両側がそれぞれ加圧水貯留室２４，２４となっている。
【００３４】
前記上面２２を形成する二つの傾斜面には、加圧水貯留室２４に通じる複数の吐出口２５が、前記回転管体１０の軸方向に沿ってそれぞれ二列に穿設され、また、傾斜底部には、前記還流室２８に通じる複数の還流口２６が、同じく前記軸方向に沿って一列に穿設され、この還流室２８の底部には、外部に通じる複数の還流口２７が一列に穿設されている。
【００３５】
また、前記内部容器体２１は、外部容器体３０の底面上に適宜配設された駒部材２９上に載置されており、内部容器体２１の下面と外部容器体３０の底面との間に適宜隙間を有した状態となっている。
【００３６】
前記水供給機構３５は、前記外部容器体３０内において、内部容器体２１の両側にそれぞれ配設された給水ポンプ３６からなり、外部容器体３０内に貯留された水Ｌを吸水管３８から吸水して加圧し、前記加圧水貯留室２４に接続した吸水管３７を介して、当該加圧水貯留室２４に加圧した水Ｌを供給する。
【００３７】
加圧水貯留室２４に供給された水Ｌは、吐出口２５から吐出され、内部容器体２１の凹部２１内に溜まり、この凹部２１内に溜まった水Ｌは、還流口２６を通して還流室２８に、還流口２７を通して外部容器体３０内に順次還流される。尚、外部容器体３０内には、水供給機構３５によって内部容器体２１に加圧水Ｌが供給され、吐出口２５から吐出された後、還流口２６，２７を通して当該外部容器体３０内に還流される稼動状態において、前記凹部２１ａ内に若干の水Ｌが溜まる程度の水量が貯留される。
【００３８】
また、外部容器体３０の上面には、両側からそれぞれ前記回転管体１０の外周面と当接するように、当該回転管体１０の中心軸と平行に設けられた二つのブラシ体４０が固設され、更に、このブラシ体４０の外側の、前記外部容器体３０の上面上に飛散防止カバー４１が立設されている。
【００３９】
以上の構成を備えた本例の遊戯装置１によれば、まず、内部容器体２１の凹部２１ａ内に回転管体１０を収容し、この状態で給水ポンプ３６を稼動させて、この給水ポンプ３６によって加圧した水Ｌを内部容器体２１の加圧水貯留室２４内に供給する。
【００４０】
加圧水貯留室２４に供給された水Ｌは、吐出口２５から外部に向けて吐出され、回転管体１０の外周面に衝突した後、凹部内面（上面）２２や回転管体１０の外周面を伝うなどして、凹部２１ａ内に貯留される。
【００４１】
斯くして、前記吐出口２５から吐出される水Ｌは、その圧力によって程度の差はあるが、前記回転管体１０を浮き上がらせる方向に作用し、また、上記のように、凹部内面（上面）２２や回転管体１０の外周面を伝うなどして、回転管体１０と凹部内面２２とが接触する部分に供給され、その潤滑作用によって、回転管体１０と凹部内面２２との間の摩擦を軽減する。また、凹部２１ａ内に一定量貯溜された水Ｌは、浮き上がらせる方向の浮力を回転管体１０に作用させる。
【００４２】
前記回転管体１０は、このような水Ｌの作用によって、凹部２１ａ内で自転自在に支持される。
【００４３】
そして、このようにして、自転自在に支持された回転管体１０の中空部内に遊戯者が乗り込む。尚、その際、遊戯者は外部容器体３０に形成されたステップ３１を利用して、当該回転管体１０内に乗り込むことができる。
【００４４】
回転管体１０の中空部内に遊戯者が乗り込むと、上記のように回転管体１０がその中心軸回りに自転自在に支持されているので、回転管体１０の中心軸に対する遊戯者の重心位置が、鉛直方向からずれている場合には、当該遊戯者の体重によって回転管体１０にモーメントが作用し、このモーメントによって回転管体１０がその軸中心に自転する。
【００４５】
したがって、遊戯者は、体重を移動させることで、回転管体１０とともに回転したり、或は、回転管体１０の中空部内でその周方向に前進することにより、回転する回転管体１０の中を、自身定位置に留まりながら前進するといった遊戯を楽しむことができる。
【００４６】
尚、上記のように、回転管体１０はエアマットと同様の弾性を有しているので、遊戯者は、上述した回転遊戯を行う際に、ふわふわとした浮遊感を味わうことができ、また、回転管体１０とともに回転しても怪我をするおそれがないという利点がある。また、上記のように構成された本例の遊戯装置１は、その製造コストが安価で、設置スペースが小さくて足り、しかも幼児が気軽に利用することができるという利点がある。
【００４７】
また、回転管体１０が自転すると、その外周面に付着した水分が遠心力などによって飛散することが考えられるが、本例では、回転管体１０の外周面に当接するブラシ体４０を設けているので、回転管体１０の外周面に付着した水分がこのブラシ体４０によって掻き落とされ、上記のような飛散が防止される。更に、飛散防止カバー４１を設けているので、ブラシ体４０の掻き落とし効果が十分でない場合でも、この飛散防止カバー４１によって水分の飛散が防止される。
【００４８】
以上本発明の一実施形態について説明したが、本発明が採り得る具体的な態様は、これに限定されるものではない。
【００４９】
その一例を挙げれば、例えば、内部容器体２１の上面２２の断面形状は、上述したＵ字形状に限るものではなく、これをＶ字形状としても良い。
【００５０】
また、前記吐出口２５は、上例のようにその複数を列状に設けるのではなく、図４に示すように、これをスリット状の開口としても良い。このようにすれば、回転管体１０の中心軸方向における前記凹部内面２２との接触部に対して、より一様に水Ｌを供給することができ、回転管体１０と凹部内面２２との間の摩擦をより軽減することができる。
【００５１】
また、前記還流口２７及び仕切板２３を無くして、内部容器体２１の内部を一つの部屋にするとともに、前記給水ポンプ３６の吸水管３８を内部容器体２１内部に接続させ、給水管３７を直接吐出口２５に接続させた構成にすれば、特に外部容器体３０を設ける必要はない。
【００５２】
また、上例において、吐出口２５から吐出される水の圧力を高めることにより、この水圧によって回転管体１０が浮き上がり、当該回転管体１０が内部容器体２１の凹部内面２２に対して非接触の状態で支持されるようにしても良い。また、この場合、吐出口２５から吐出される流体は、上例の水に限られるものではなく、空気などの気体を加圧した加圧気体であっても良い。この加圧気体は、コンプレッサなどの供給装置から前記吐出口２５に供給される。
【００５３】
また、前記回転管体１０は、図５に示すように、上述した軟質のシート状部材から構成される外筒１１及び内筒１２の二重管構造を有するもの（内部管体）の外側に硬質の部材から構成される外殻管体１４を設けたものとしても良い。この場合、外殻管体１４と内部管体とが一体的なものとなるように、内部管体は、その外筒１１の外周面が外殻管体１４の内周面に対して圧接するように当該外殻管体１４の中空部内に配設される。このようにすれば、硬質の外殻管体１４を支持することができるので、摩擦の大きな弾性体を支持する場合に比べて、自転自在に支持し易いという利点がある。
【００５４】
また、上記回転管体１０は、弾性を有するという点で、上記構成のものが好ましいが、これに限るものではなく、中空の円筒状をした形状であれば、木製でも、金属製であっても良い。
【００５５】
また、図６に示すように、内部容器体２１及び水供給機構３５を省略した構成としても良い。この場合、外部容器体３１内に貯留した水Ｌの浮力によって、回転管体１０が自転自在に支持される。
【００５６】
また、上例の支持装置２０に替えて、図７及び図８に示した支持装置５１としても良い。
【００５７】
同図に示すように、この支持装置５１は、前記回転管体１０の中心軸と平行に、且つ該回転管体１０の外周面に下方から当接するようにその周方向に配設された複数の回転ローラ５３と、回転管体１０の前後端面にそれぞれ当接するように配設された複数の回転ローラ５４と、これら各回転ローラ５３，５４をその中心軸回りに回転自在に支持する支持基台５２及び支持フレーム５５とから構成することができる。この遊戯装置では、回転ローラ５３によって回転管体１０が自転自在に支持される。また、回転管体１０がその中心軸方向に移動する場合には、回転ローラ５４によって、その挙動が制動される。
【産業上の利用可能性】
【００５８】
本発明に係る遊戯装置は、遊園地やデパート，スーパーマーケットなどの遊戯コーナーに設置可能な遊戯装置として、好適である。
【図面の簡単な説明】
【００５９】
【図１】本発明の一実施形態に係る遊戯装置を示した斜視図である。
【図２】図１における矢視Ｉ−Ｉ方向の断面図である。
【図３】本実施形態に係る内部容器体を示した斜視図である。
【図４】本発明の他の実施形態に係る内部容器体を示した斜視図である。
【図５】本発明の他の実施形態に係る回転管体を示した斜視図である。
【図６】図１における矢視Ｉ−Ｉ方向の断面図に相当する断面図であって、本発明の他の実施形態に係る遊戯装置を示した断面図である。
【図７】本発明の他の実施形態に係る遊戯装置を示した斜視図である。
【図８】図７における矢視ＩＩ−ＩＩ方向の断面図である。
【符号の説明】
【００６０】
１    遊戯装置
１０  回転管体
１１  外筒
１２  内筒
１３  密閉空間
１４  外殻管体
２０  支持装置
２１  内部容器体
２１ａ  凹部
２２  上面
２５  吐出口
３０  外部容器体
３５  水供給機構
５２  支持基台
５３  回転ローラ
５５  支持フレーム
【図１】
0004535971.tif 000002
【図２】
0004535971.tif 000003
【図３】
0004535971.tif 000004
【図４】
0004535971.tif 000005
【図５】
0004535971.tif 000006
【図６】
0004535971.tif 000007
【図７】
0004535971.tif 000008
【図８】
0004535971.tif 000009